(57)【特許請求の範囲】
【請求項１】
弾性圧搾可能な胴部５上端から口頚部７を起立する合成樹脂製のチューブ容器本体２と、口頚部７外面へ、口頚部７上端開口面を密閉するノズル９付きの第１頂壁10外周部から垂設した、第１周壁11を嵌着させたキャップ本体３と、ノズル９上端開口面を閉塞する第２頂壁16外周から、第１頂壁10の外周部上面へ載置させて第２周壁17を垂下し、該第２周壁17の下端後部と第１頂壁10の後部とを肉薄ヒンジ18で連結した補助蓋４とからなり、キャップ本体３と補助蓋４とを合成樹脂材で一体成形し、口頚部７外周位置より内方の第１頂壁10をリング状に且つその他の第１頂壁10とは異質の合成樹脂材で形成して破断帯13となし、かつ、該破断帯13一部からつまみ片14を起立し、また、該つまみ片14の一方側面下方の破断帯13部分に、該破断帯13切離し用肉薄線15を形成し、また、ノズル９はリング状破断帯13が囲む第１頂壁10部分から起立させたことを特徴とする合成樹脂製チューブ容器。
【請求項２】
弾性圧搾可能な胴部５上端から口頚部７を起立する合成樹脂製のチューブ容器本体２と、口頚部７外面へ、口頚部７上端開口面を密閉するノズル９付きの第１頂壁10外周部から垂設した、第１周壁11を嵌着させたキャップ本体３と、ノズル９上端開口面を閉塞する第２頂壁16外周から、第１頂壁10の外周部上面へ載置させて第２周壁17を垂下し、該第２周壁17の下端後部と第１頂壁10の後部とを肉薄ヒンジ18で連結した補助蓋４とからなり、キャップ本体３と補助蓋４とを合成樹脂材で一体成形し、キャップ本体３に薄肉線15で囲まれた破断部Ａを設け、該破断部Ａは、外周縁が口頚部７外周より内方に位置した第１頂壁10部分と、口頚部７内面が囲む第１頂壁10部分に付設したノズル９と、第１頂壁10部分の外周一部から起立したつまみ片14とを備え、肉薄線15外方の第１頂壁10部分とは異質の合成樹脂材で形成したことを特徴とする合成樹脂製チューブ容器。
【請求項３】
口頚部７の上部内面との間に小間隙をおいて、口頚部の下部内面から内筒21を起立し、該内筒21上端面の内周縁よりも外方に、上記異質の合成樹脂材で形成した第１頂壁部分外周縁位置の接合線ａを位置させてなる請求項１又は請求項２のいずれかに記載の合成樹脂製チューブ容器。
【発明の詳細な説明】
【０００１】
【発明の属する技術分野】
本発明はチューブ容器に関する。
【０００２】
【従来の技術】
広く知られているように従来のチューブ容器では胴部上端から肩部を介して収納物取出用のノズル兼用の口頚部を起立し、該口頚部にキャップを着脱自在に嵌合させている。
【０００３】
【発明が解決しようとする課題】
上記従来のチューブ容器の場合は、胴部の圧搾によって収納物を押し出して使用するが、肩部は剛性が高いために圧搾が困難であり、このため肩部内にかなりの収納物を残したままで廃棄することとなるものであった。
【０００４】
本発明は、上記収納物注出用の口頚部に該当するノズルのほか、容器内収納物が殆ど無くなってノズル下端内に残った収納物をノズル部分除去によって大口径の口部を形成し、該口部利用によって取り出し、使用できるように設けたものである。
【０００５】
【課題を解決するための手段】
第１の手段として、以下の通り構成した。即ち、弾性圧搾可能な胴部５上端から口頚部７を起立する合成樹脂製のチューブ容器本体２と、口頚部７外面へ、口頚部７上端開口面を密閉するノズル９付きの第１頂壁10外周部から垂設した、第１周壁11を嵌着させたキャップ本体３と、ノズル９上端開口面を閉塞する第２頂壁16外周から、第１頂壁10の外周部上面へ載置させて第２周壁17を垂下し、該第２周壁17の下端後部と第１頂壁10の後部とを肉薄ヒンジ18で連結した補助蓋４とからなり、キャップ本体３と補助蓋４とを合成樹脂材で一体成形し、口頚部７外周位置より内方の第１頂壁10をリング状に且つその他の第１頂壁10とは異質の合成樹脂材で形成して破断帯13となし、かつ、該破断帯13一部からつまみ片14を起立し、また、該つまみ片14の一方側面下方の破断帯13部分に、該破断帯13切離し用肉薄線15を形成し、また、ノズル９はリング状破断帯13が囲む第１頂壁10部分から起立させた。
【０００６】
第２の手段として、以下の通り構成した。即ち、弾性圧搾可能な胴部５上端から口頚部７を起立する合成樹脂製のチューブ容器本体２と、口頚部７外面へ、口頚部７上端開口面を密閉するノズル９付きの第１頂壁10外周部から垂設した、第１周壁11を嵌着させたキャップ本体３と、ノズル９上端開口面を閉塞する第２頂壁16外周から、第１頂壁10の外周部上面へ載置させて第２周壁17を垂下し、該第２周壁17の下端後部と第１頂壁10の後部とを肉薄ヒンジ18で連結した補助蓋４とからなり、キャップ本体３と補助蓋４とを合成樹脂材で一体成形し、キャップ本体３に薄肉線15で囲まれた破断部Ａを設け、該破断部Ａは、外周縁が口頚部７外周より内方に位置した第１頂壁10部分と、口頚部７内面が囲む第１頂壁10部分に付設したノズル９と、第１頂壁10部分の外周一部から起立したつまみ片14とを備え、肉薄線15外方の第１頂壁10部分とは異質の合成樹脂材で形成した。
【０００７】
第３の手段として、以下の通り構成した。即ち、前記第１の手段又は第２の手段のいずれかの手段に於いて、口頚部７の上部内面との間に小間隙をおいて、口頚部の下部内面から内筒21を起立し、該内筒21上端面の内周縁よりも外方に、上記異質の合成樹脂材で形成した第１頂壁部分外周縁位置の接合線ａを位置させてなる如く構成した。
【０００８】
【発明の実施の形態】
以下、本発明の実施例の形態を図面を参照して説明する。
【０００９】
本発明のチューブ容器１は、チューブ容器本体２と、キャップ本体３と、補助蓋４とから構成している。
【００１０】
チューブ容器本体２は合成樹脂製で、弾性圧搾可能な胴部５上端から肩部６を介して口頚部７を起立して構成している。本実施例では、図３に示す如く、口頚部７外周にキャップ本体３の係止手段の一部としての横Ｌ字状をなす凹溝８を凹設している。
【００１１】
キャップ本体３及び補助蓋４は合成樹脂により一体に形成されたもので、キャップ本体３は、口頚部７外面へ、口頚部上端開口面を密閉するノズル９付きの第１頂壁10外周から垂設した、第１周壁11を嵌着させてチューブ容器本体２に固定している。図示例では、第１周壁11は内周壁11a と外周壁11b との二重筒状に形成しており、その内周壁11a 内面下部に突設した係合突起12を、凹溝８に上方から押し込んだ後回動して嵌合させ、抜け出しの防止を図りつつチューブ容器本体２に固定している。また、第１頂壁10下面から垂設したシール筒22を、口頚部７内面に密嵌してこの部分の液密性を図っている。
【００１２】
キャップ本体３の容器体への嵌合係止手段としては、上記したツイストロック式のものに限らず、例えば、図４に示す如き螺合や、図５に示す如き突条相互の乗り越え係合による係止方法を採用することができる。
【００１３】
また、キャップ本体３は、第１頂壁の外周部分を、第１頂壁とは異質の合成樹脂材で形成してリング状の破断帯13となし、また、破断帯13一部からつまみ片14を起立し、更に、つまみ片の一方側面側の破断帯部分に、該破断帯切り離し用肉薄線15を形成している。また、ノズル９は、リング状破断帯13が囲む第１頂壁10部分から起立させている。尚、図１の実施例では、破断帯13の外周縁、即ち、第１頂壁10外周部内縁と、異質の合成樹脂材で形成した第１頂壁部分との接合線ａを、口頚部７内方位置に設けているが、図８に示す如く、口頚部７外方でも良く、或いは図示しないが、口頚部上に位置させても良い。
【００１４】
補助蓋４は、ノズル９上端開口面を閉塞する第２頂壁16外周から第１頂壁10の外周部上部へ載置させた第２周壁17を垂下し、該第２周壁17の下端部と第１周壁11の後部とを肉薄ヒンジ18で連結している。また、第２頂壁16裏面中央からはノズル９外周に嵌脱が可能に嵌合させた嵌合筒19を垂設し、また、その内方にはノズル９内周に密嵌する短いシール筒20を突設している。
【００１５】
上記の如きキャップ本体３及び補助蓋４は、例えば、インサート成形等により異材質の破断帯13及びつまみ片14部分と一体に成形することができる。
【００１６】
上記の如く構成したチューブ容器１を使用する場合は、補助蓋４を開いてチューブ容器本体２の胴部５を圧搾し、ノズル９から液を押し出して使用する。そして、収納液の量が極めて少なくなり、口頚部７乃至肩部６部分にしか殆ど液が存在しない状態で、胴部５の圧搾により殆どノズル９から液の押し出しができなくなった際に、つまみ片14をつかんで引き上げれば、破断帯13は肉薄線15の部分から破断し、その内方の第１頂壁部分を分離して大きな開口があくため、残った液を指等で容易に取り出すことができる。
【００１７】
図６は本発明の他の実施例を示すもので、本実施例では、図１の実施例に於けるキャップ本体３の一部の構成を変えたものである。本実施例では、キャップ本体３の口頚部７内面が囲む第１頂壁10部分にノズル９を付設するとともに、該頂壁部分を第１頂壁外周部とは異質の合成樹脂材で形成し、また、異質の合成樹脂材で形成した第１頂壁部分の外周一部からつまみ片14を起立し、これら異材質の合成樹脂材で形成された破断部Ａを設けている。その他の構成は図１の実施例と同様である。また、図６の実施例では、破断部Ａの外周縁、即ち、接合線ａを口頚部７内方位置に設けているが、図９が示す如く、口頚部７上に位置させても良く、或いは図示しないが口頚部７外方に位置させても良い。
【００１８】
図７は本発明の更に他の実施例を示すもので、本実施例では、口頚部７の上部内面との間に小間隙をおいて、口頚部７の下部内面から内筒21を起立し、該内筒上端面の内周縁よりも外方に、第１頂壁10外周部内縁と、異質の合成樹脂材で形成した第１頂壁部分との接合線ａを位置させている。この内筒21外表面はできるだけ滑らかな形状とすると良い。この様に構成することにより、破断帯13を破断した切断位置を指から保護してカット面で指等を切らない様構成している。その他の構成は図１の実施例と同様である。尚、この内筒の構成は図６の実施例にも適用することができる。
【００１９】
【発明の効果】
以上説明した如く本発明のチューブ容器は、既述構成としたことにより、チューブ容器体内に残って取り出し難くなった液を極めて簡単な方法で、殆ど残らず取り出すことができるため経済的であり、その構造も極めてシンプルで特別の設備を必要とせず、容易に製造できる利点も兼ね備えている。
【００２０】
また、口頚部の上部内面との間に小間隙をおいて、口頚部の下部内面から内筒を起立し、内筒上端面の内周縁よりも外方に、第１頂壁外周部内縁と、異質の合成樹脂材で形成した第１頂壁部分との接合線を位置させてなるものにあっては、破断帯や破断部等の切断除去により露出するカット面が、内筒の存在で手等に極力触れない様になり、手の指を切る等の不都合を防止できるものである。
【図面の簡単な説明】
【図１】本発明の一実施例を示す要部縦断面図である。
【図２】同実施例の要部斜視図である。
【図３】同実施例の容器本体を示す要部斜視図である。
【図４】本発明のキャップ本体の嵌合部分の他の例を示す要部縦断面図である。
【図５】本発明のキャップ本体の嵌合部分の更に他の例を示す要部断面図である。
【図６】本発明の他の実施例を示す要部縦断面図である。
【図７】本発明の更に他の実施例を示す要部縦断面図である。
【図８】本発明の更に他の実施例を示す要部縦断面図である。
【図９】本発明の更に他の実施例を示す要部縦断面図である。
【符号の説明】
２…チューブ容器本体，３…キャップ本体，４…補助蓋，５…胴部，
７…口頚部，９…ノズル，10…第１頂壁，13…破断帯，14…つまみ片，
15…肉薄線，16…第２頂壁，17…第２周壁，18…肉薄ヒンジ，21…内筒
【図１】
0003895509.tif 000002
【図２】
0003895509.tif 000003
【図３】
0003895509.tif 000004
【図４】
0003895509.tif 000005
【図５】
0003895509.tif 000006
【図６】
0003895509.tif 000007
【図７】
0003895509.tif 000008
【図８】
0003895509.tif 000009
【図９】
0003895509.tif 000010